(57)【特許請求の範囲】
【請求項１】
左右の通電用電極及び計測用電極から成り両足間の生体インピーダンスを計測する電極部と体重を計測する重量センサー部とを有する本体と、計測した結果等を表示する表示部を有する表示ボックスとが分離している生体計測装置において、
前記本体及び前記表示ボックスには、前記本体と前記表示ボックスとの間で信号通信をするための無線通信手段とを備え、
前記本体には、前記左の通電用電極及び計測用電極と前記右の通電用電極及び計測用電極との間に位置するように前記表示ボックスを収容する切欠いた収容部を備え、
前記左右の通電用電極及び計測用電極の上に足を接触させて前記本体に乗ったままで、
前記表示ボックスを前記収容部から取り外した状態にしても、前記無線通信手段による前記本体と前記表示ボックス手段との間での信号通信によって、前記体重と前記生体インピーダンスの両方の計測をし、
前記表示ボックスを前記収容部に取り付けた状態にしても、前記無線通信手段による前記本体と前記表示ボックス手段との間での信号通信によって、前記体重と前記生体インピーダンスの両方の計測をする、
ことを特徴とする生体計測装置。
【発明の詳細な説明】
【０００１】
【発明の属する技術分野】
本発明は、体重及び生体インピーダンスを計測し、健康管理に有益な体脂肪率等の生体情報を提供する生体計測装置に関する。
【０００２】
【従来の技術】
近年、健康維持の観点から、生活習慣病を引き起こす原因となる体脂肪率等の生体情報を推定することができる種々のタイプの生体計測装置が提案されてきた。その中に、図４の従来の体脂肪計付体重計の斜視図に示すような、両足間の生体インピーダンスと体重を計測するための本体２６と、計測結果等を表示するための表示ボックス２７とが分離しており、その間をコード２８で接続するタイプの体脂肪計付体重計が提供されている。これは、表示ボックス２７を目の近くに位置させて計測することができるので表示が認識しやすい。また、安定した計測姿勢である自然体で本体に乗れば計測できるので、精度にすぐれたものである。
【０００３】
【発明が解決しようとする課題】
しかし、上述の体脂肪計付体重計は、本体２６と表示ボックス２７を接続するコード２８をはずして、使用しないときに別々に片付けてしまい、後になっていざ使用しようとしたときに、保管場所がわからなくなってしまうという問題があった。また、収納するのに嵩張って場所を取るという問題があった。更に、コード２８を引っかけたりするといった煩わしいという問題があった。
【０００４】
そこで、本発明は、上記のような従来の問題点を解決することを目的とするもので、保管や収納性のよい生体計測装置を提供することを課題とする。更に、取扱い性の向上も図る生体計測装置を提供することを課題とする。
【０００５】
【課題を解決するための手段】
上記の目的を達成するため、本発明の生体計測装置は、両足間の生体インピーダンスを計測する電極部と体重を計測する重量センサー部とを有する本体と、計測した結果等を表示する表示部を有する表示ボックスとが分離している生体計測装置において、前記本体は前記表示ボックスを収容する収容部を備える。これにより、本体に表示ボックスを一体的に平滑に収容できるので、保管や収納が利便なものとなる。
【０００６】
また、前記本体及び前記表示ボックスは、お互いを直接接続して信号の連絡をする接続端子もしくは信号の通信する無線通信手段を備える。これにより、本体と表示ボックスとの接続にコードが無くなるので、取扱いが容易なものとなる。また、コードの重みがないので表示ボックスを小型なものとすることができる。
【０００７】
【発明の実施の形態】
本発明の生体計測装置の実施形態を図面に基づき説明する。図１は、生体計測装置の斜視図であり、図１（ａ）は表示ボックスが本体から取り外れているとき、図１（ｂ）は表示ボックスが本体に取り付いているときを示す図である。図２は、生体計測装置の電気回路のブロック図である。本発明の生体計測装置は、生体インピーダンスと体重を計測するための本体１と、その結果を表示するための表示ボックス２とからの二つの装置で構成する。
【０００８】
本体１は、体重計の載せ台３の上面に生体インピーダンスを計測するための通電用電極４ａと計測用電極４ｂからなる電極部４を、載せ台３の側面にスタートキー６を配設する。更に、載せ台３の前部側に表示ボックス形状に切欠いた収容部７を設け、載せ台３の上面と収容部７の側面にかけて、表示ボックス２との間で赤外線信号により通信をする通信部８を無線通信手段として配設する。また、本体１は、体重を計測する重量センサー部１５と、通電用電極４ａに高周波の微弱な定電流を印加するための高周波定電流回路１７と、計測用電極４ｂに生じる生体の電位差を計測するための電圧測定回路１８と、重量センサー部１５からのデータを増幅する増幅回路１６と、増幅回路１６と電圧測定回路１８との切り替えをする切替部１９と、電圧測定回路１８や増幅回路１６からのアナログ信号をデジタル信号に変換するためのＡ／Ｄ変換回路２０と、計測条件や計測した生体インピーダンスデータや体重データに基づいて体脂肪率の演算や計測・通信等の各種の制御等の処理を行うためのＣＰＵ２１とを内蔵する。
【０００９】
表示ボックス２は、筐体９の正面に計測結果等を表示する表示部１０と計測条件を設定するための設定キー１１を、筐体９の下面に本体１との間で赤外線信号により通信を行うための通信部１２を無線通信手段として配設する。また、筐体９は、設定した計測条件等の記録する記憶部２２と、通信・記憶・表示等の各種の制御等の処理を行うためのＣＰＵ２３とを内蔵する。
【００１０】
本発明の生体計測装置を使用するときには、被計測者は、設定キー１１により個人条件の設定登録をし、これにより設定登録したいずれかのスタートキー６を押して、本体１の通電用電極４ａと計測用電極４ｂの上に足を接触させながら乗る。そして、計測された結果は表示部１０に表示される。なお、被計測者は表示ボックス２を手に保持して通信部１２を本体側の通信部８に向けて、表示部１０を目の近くに位置させて計測してもよいし、本体１の収容部７に表示ボックス２を取り付けた状態で計測してもよい。
【００１１】
本発明の生体計測装置は、本体１の収容部７が表示ボックス形状に切欠いているために、本体１に表示ボックス２を一体的に平滑に取り付けることができるようになり、本体１の収容部７に表示ボックス２を取り付けた状態にして、分離することなく保管場所に収納が可能である。
【００１２】
更に、通信形態を赤外線信号による無線通信手段としたことで、コードの嵩張りや煩わしさがなく、より収納しやすくて取扱いやすくなる。また、表示ボックス２はコードの重みにより保持しにくかったり、設置しにくかったりすることがないので、より小型化にすることができる。なお、無線通信手段は赤外線信号以外の電波等の信号であっても同様の利点を得られる。
【００１３】
また、本発明の生体計測装置は、上述の実施の形態に述べた生体計測装置の無線通信手段である通信部８、１２を、図３の生体計測装置の斜視図に示すように、本体３１と表示ボックス３２とを直接接続して信号の連絡をする接続端子３３、３４にしてもよい。この場合、使用するときには、本体３１に表示ボックス３２を取り付けた状態での体重や生体インピーダンスの計測となるが、無線通信手段を用いた形態と同様な利点を有するものである。
【００１４】
本実施の形態の生体計測装置は、生体のインピーダンスを計測するための電極部を配設した体重計を有する生体計測装置であれば、体水分計・重心動揺計等のあらゆる生体計測装置で実施可能である。
【００１５】
【発明の効果】
本発明の生体計測装置は、本体に表示ボックスの収容部を設けたことで、表示ボックスを収容部に収容した状態で保管や収納ができるようになり、使用しないときに別々に片付けてしまい、保管場所がわからなくなってしまったり、嵩張って場所を取ったりすることがなくなる。
【００１６】
また、本体と表示ボックスの間を無線通信手段や接続端子にすることにより、コードを有する場合の保管や収納時の嵩張りや煩わしさがなくなる。また、コードの重みにより表示ボックスが保持しにくかったり、設置しにくかったりすることがない。したがって、表示ボックスは、小型化して携帯することができ、更にカロリースケールと接続して摂取カロリーを求めたり、歩数計等の他機能を設けたりして、健康に関する諸データを一元的に管理することもできる。
【図面の簡単な説明】
【図１】生体計測装置の斜視図であり、（ａ）は表示ボックスが本体から取り外れているとき、（ｂ）は表示ボックスが本体に取り付いているときを示す図である。
【図２】生体計測装置の電気回路のブロック図である。
【図３】生体計測装置の斜視図である。
【図４】従来の体脂肪計付体重計の斜視図である。
【符号の説明】
１、２６、３１  本体
２、２７、３２  表示ボックス
３  載せ台
４ａ  通電用電極
４ｂ  計測用電極
４  電極部
６  スタートキー
７  収容部
８、１２  通信部
９  筐体
１０  表示部
１１  設定キー
１５  重量センサー部
１６  増幅回路
１７  高周波定電流回路
１８  電圧測定回路
１９  切替部
２０  Ａ／Ｄ変換回路
２１、２３  ＣＰＵ
２２  記憶部
２８  コード
３３、３４  接続端子
【図１】
0003688184.tif 000002
【図２】
0003688184.tif 000003
【図３】
0003688184.tif 000004
【図４】
0003688184.tif 000005